(57)【要約】【課題】木材同士を簡単に、しかも大きな接合力で強固に締め付け、固定でき、更には、見た目の美しいほぞ固定構造及びほぞ固定装置並びにほぞ固定方法を提供する。【解決手段】第１の木材１１に形成されたほぞ穴１２に第２の木材１３の先部に形成されたほぞ１４を嵌入させた状態で、第１の木材１１の一側壁部１５及びほぞ１４を貫通し、第１の木材１１の他側壁部１６の所定の位置まで穿設された固定穴１７ａが設けられ、固定穴１７ａに密着して、一側壁１５にほぞ引込み凹部２５を有する固定用筒体２０が装着され、しかも、ほぞ引込み凹部２５に対向して固定用筒体２０に設けられたほぞ引込み凸部２１が、固定用筒体２０に嵌入する固定用ピン２２の打ち込みによって、ほぞ引込み方向に突出している。【選択図】　　　　図３
2004052238.tif 000002
【特許請求の範囲】
【請求項１】
第１の木材に形成されたほぞ穴に第２の木材の先部に形成されたほぞを嵌入させた状態で、前記第１の木材の一側壁部及び前記ほぞを貫通し、前記第１の木材の他側壁部の所定の位置まで穿設された固定穴が設けられ、
前記固定穴に密着して、一側壁にほぞ引込み凹部を有する固定用筒体が装着され、しかも、前記ほぞ引込み凹部に対向して該固定用筒体に設けられたほぞ引込み凸部が、該固定用筒体に嵌入する固定用ピンの打ち込みによって、ほぞ引込み方向に突出していることを特徴とするほぞ固定構造。
【請求項２】
請求項１記載のほぞ固定構造において、前記固定用筒体の基部側に設けられた係合部に装飾用キャップが装着されて、前記固定用筒体の基端部を隠していることを特徴とするほぞ固定構造。
【請求項３】
請求項１及び２のいずれか１項に記載のほぞ固定構造において、前記固定用ピンの軸心と前記固定穴の軸心が一致していることを特徴とするほぞ固定構造。
【請求項４】
第１の木材に形成されたほぞ穴に第２の木材の先部に形成されたほぞを嵌入させた状態で、前記第１の木材の一側壁部及び前記ほぞを貫通し、前記第１の木材の他側壁部の所定の位置まで穿設された固定穴に装着して、前記ほぞを前記ほぞ穴に緊結させるほぞ固定装置であって、
前記ほぞの肉厚より短く、かつほぞ引込み方向に突出可能なほぞ引込み凸部と、該ほぞ引込み凸部に対して反対側の外側半分に形成されて前記ほぞの肉厚より長いほぞ引込み凹部とを有し、前記第１の木材の他側壁部まで届く長さを有する固定用筒体と、
該固定用筒体に密着嵌入して前記ほぞ引込み凸部をほぞ引込み方向に突出させる固定用ピンと、
前記固定用筒体の基端部に取付けられる装飾用キャップとを有することを特徴とするほぞ固定装置。
【請求項５】
請求項４記載のほぞ固定装置において、前記固定用筒体の基端部には、上下を示す印が設けられていることを特徴とするほぞ固定装置。
【請求項６】
請求項４及び５のいずれか１項に記載のほぞ固定装置において、前記装飾用キャップは、前記固定用筒体及び前記固定用ピンのいずれか一方の基端部にねじ結合されていることを特徴とするほぞ固定装置。
【請求項７】
請求項４及び５のいずれか１項に記載のほぞ固定装置において、前記装飾用キャップは、前記固定用筒体及び前記固定用ピンのいずれか一方の基端部に密着嵌合されていることを特徴とするほぞ固定装置。
【請求項８】
請求項４〜７のいずれか１項に記載のほぞ固定装置において、前記固定用筒体は、直線的に形成された前記固定穴の長さと実質的に同じ長さに形成されていることを特徴とするほぞ固定装置。
【請求項９】
請求項４〜８のいずれか１項に記載のほぞ固定装置において、前記固定用筒体の外周には、該固定用筒体の長さ方向に平行な直線状突起が設けられていることを特徴とするほぞ固定装置。
【請求項１０】
第１の木材に形成されたほぞ穴に、第２の木材の先部に形成されたほぞを嵌入させる第１工程と、
前記第１の木材の一側壁部及び前記ほぞを貫通し、前記第１の木材の他側壁部の所定の位置まで届く固定穴を形成する第２工程と、
前記固定穴に密着して、一側壁にほぞ引込み凹部を有し、該ほぞ引込み凹部の反対側には、ほぞ引込み凸部が設けられた固定用筒体を、該ほぞ引込み凸部を、前記ほぞの引込み方向に向けた状態で装着する第３工程と、
前記固定用筒体に、固定用ピンを入れて前記ほぞ引込み凸部をほぞ引込み方向に突出させ、前記ほぞ穴に装着された前記ほぞを緊結状態で固定する第４工程と、前記固定用筒体及び前記固定用ピンの基端部に装飾用キャップを被せて、前記固定用筒体及び前記固定用ピンを隠す第５工程とを有することを特徴とするほぞ固定方法。
【発明の詳細な説明】
【０００１】
【発明の属する技術分野】
本発明は、木材のほぞ及びほぞ穴の組み合わせに使用するもので、簡単に、しかも大きな接合力で強固に締め付け、固定できるほぞ固定構造及びほぞ固定装置並びにほぞ固定方法に関する。
【０００２】
【従来の技術】
木造建築は、軽量で、加工並びに施工が容易であるため、広く普及している。従来、木造建築の施工において木材同士を接合するほぞ固定構造として、柱の端部にほぞを設け、このほぞが嵌入するほぞ穴を土台に形成し、ほぞをほぞ穴に嵌入する前に、柱と土台それぞれに嵌入方向に位置をずらして角穴を設けておき、ほぞをほぞ穴に嵌入した状態でケヤキやカシ等からなる角棒状に加工した込み栓を打ち込んで、ほぞを嵌入方向に移動させる構造のものが知られている。しかし、このほぞ固定構造においては、柱と土台の角穴を予め形成しているので、ほぞをほぞ穴に嵌入した時、角穴同士の位置がずれることにより寸法精度が悪くなったり、また、角穴を形成するのに時間がかかるという問題があった。
【０００３】
これらの課題を解決するほぞ固定構造として、特許第３０４８５６２号公報に記載の形態のものが知られている。この公報に記載のほぞ固定構造は、柱の下端部に設けられたほぞを土台の中央部に設けられたほぞ穴に嵌入した状態で、ほぞ及び土台を貫通して形成された断面円形の第１、第２の固定孔に固定用円筒体を嵌入するように構成されている。更に、第１、第２の固定孔に密着嵌入する固定用円筒体は、ほぞの肉厚より短く半径方向外側に突出可能な肉厚部、及び肉厚部と対向する外側半分に形成されてほぞの肉厚より長い外面ほぞ引込み凹部を中央部にそれぞれ有し、柱の幅と同一か又は柱の幅より長く形成され、断面円形のピンが固定用円筒体内に嵌入し、肉厚部を外側に押し出すようになっている。かかる構成により、ピンの嵌入により肉厚部を半径方向外側に突出させて柱と土台とを密着接合することができる。
【０００４】
【発明が解決しようとする課題】
しかしながら、前記公報に記載のほぞ固定構造においては、解決すべき以下の問題があった。
柱に貫通孔があけられているので、柱の両方に傷がつき、更に、固定用円筒体及びピンが露出しているので、見た目が悪い。
本発明はかかる事情に鑑みてなされたもので、木材同士を簡単に、しかも大きな接合力で強固に締め付け、固定でき、更には、見た目の美しいほぞ固定構造及びほぞ固定装置並びにほぞ固定方法を提供することを目的とする。
【０００５】
【課題を解決するための手段】
前記目的に沿う本発明に係るほぞ固定構造は、第１の木材に形成されたほぞ穴に第２の木材の先部に形成されたほぞを嵌入させた状態で、第１の木材の一側壁部及びほぞを貫通し、第１の木材の他側壁部の所定の位置まで穿設された固定穴が設けられ、固定穴に密着して、一側壁にほぞ引込み凹部を有する固定用筒体が装着され、しかも、ほぞ引込み凹部に対向して固定用筒体に設けられたほぞ引込み凸部が、固定用筒体に嵌入する固定用ピンの打ち込みによって、ほぞ引込み方向に突出している。これにより、嵌入する固定用ピンにより、固定用筒体の中間部に設けられたほぞ引込み凸部をほぞ引込み方向に押し出し、第１の木材のほぞ穴に第２の木材のほぞを引込むことができる。また、固定用筒体を装着する固定穴は、第１の木材の他側壁部を貫通していないので、第１の木材の他側に固定用筒体や固定用ピン等が露出せず、見栄えがよい。
【０００６】
本発明に係るほぞ固定構造において、固定用筒体の基部側に設けられた係合部に装飾用キャップが装着されて、固定用筒体の基端部を隠すこともできる。これによって、固定用筒体や固定用筒体に嵌入する固定用ピンを隠すことができ、木材を美麗に仕上げることができる。装飾用キャップは、プラスチック、木、アルミニウム等の金属で造られる。
本発明に係るほぞ固定構造において、固定用ピンの軸心と固定穴の軸心を一致させることもできる。これによって、固定穴の穿設作業が簡単になる。
【０００７】
前記目的に沿う本発明に係るほぞ固定装置は、第１の木材に形成されたほぞ穴に第２の木材の先部に形成されたほぞを嵌入させた状態で、第１の木材の一側壁部及びほぞを貫通し、第１の木材の他側壁部の所定の位置まで穿設された固定穴に装着して、ほぞをほぞ穴に緊結させるほぞ固定装置であって、ほぞの肉厚より短く、かつほぞ引込み方向に突出可能なほぞ引込み凸部と、ほぞ引込み凸部に対して反対側の外側半分に形成されてほぞの肉厚より長いほぞ引込み凹部とを有し、第１の木材の他側壁部まで届く長さを有する固定用筒体と、固定用筒体に密着嵌入してほぞ引込み凸部をほぞ引込み方向に突出させる固定用ピンと、固定用筒体の基端部に取付けられる装飾用キャップとを有する。これによって簡単な装置で、木材を緊結させることができる。また、装飾用キャップを有しているので、固定用筒体及び固定用ピンを隠すことができる。更に、第１の木材の他側からも、固定用筒体及び固定用ピンは見えない。
【０００８】
本発明に係るほぞ固定装置において、固定用筒体の基端部には、上下を示す印を設けることもできる。これによって、固定用筒体の取付け後、ほぞ引込み凸部及びほぞ引込み凹部の取付け角度の確認をすることができる。
本発明に係るほぞ固定装置において、装飾用キャップは、固定用筒体及び固定用ピンのいずれか一方の基端部にねじ結合することもできる。これによって、装飾用キャップをねじ込むだけで取付けることができる。
本発明に係るほぞ固定装置において、装飾用キャップは、固定用筒体及び固定用ピンのいずれか一方の基端部に密着嵌合することもできる。これによって、装飾用キャップを嵌入するだけで取付けることができる。
【０００９】
本発明に係るほぞ固定装置において、固定用筒体は、直線的に形成された固定穴の長さと実質的に同じ長さに形成することもできる。これによって、固定穴に固定用筒体を密着して装着でき、固定用筒体が固定穴から張り出すことがない。また、装飾用キャップの取付けも容易になる。
本発明に係るほぞ固定装置において、固定用筒体の外周には、固定用筒体の長さ方向に平行な直線状突起を設けることもできる。これによって、固定用筒体を挿入する際には、固定用筒体が回転しにくくなり、ほぞ引込み凸部及びほぞ引込み凹部の位置ずれを防止することができる。
【００１０】
前記目的に沿う本発明に係るほぞ固定方法は、第１の木材に形成されたほぞ穴に、第２の木材の先部に形成されたほぞを嵌入させる第１工程と、第１の木材の一側壁部及びほぞを貫通し、第１の木材の他側壁部の所定の位置まで届く固定穴を形成する第２工程と、固定穴に密着して、一側壁にほぞ引込み凹部を有し、ほぞ引込み凹部の反対側には、ほぞ引込み凸部が設けられた固定用筒体を、ほぞ引込み凸部をほぞの引込み方向に向けた状態で装着する第３工程と、固定用筒体に、固定用ピンを入れてほぞ引込み凸部をほぞ引込み方向に突出させ、ほぞ穴に装着されたほぞを緊結状態で固定する第４工程と、固定用筒体及び固定用ピンの基端部に装飾用キャップを被せて、固定用筒体及び固定用ピンを隠す第５工程とを有する。これによって、簡単な方法で木材を緊結状態で固定することができる。また、第１の木材に形成されたほぞ穴に、第２の木材の先部に形成されたほぞを嵌入させた状態で、第１の木材の一側壁部及びほぞを貫通し、第１の木材の他側壁部の所定の位置まで届く固定穴を形成するので、寸法精度が良く、短時間で施工できる。
【００１１】
【発明の実施の形態】
続いて、添付した図面を参照しつつ、本発明を具体化した実施の形態につき説明し、本発明の理解に供する。
ここで、図１は本発明の一実施の形態に係るほぞ固定構造を説明する斜視図、図２は同ほぞ固定構造における固定用ピン挿入前の側断面図、図３は同ほぞ固定構造における固定用ピン挿入後の側断面図、図４（Ａ）は同ほぞ固定構造における固定用筒体、固定用ピン及び装飾用キャップの斜視図、（Ｂ）、（Ｃ）はそれぞれ変形例に係る固定用筒体、固定用ピン及び装飾用キャップの斜視図、図５（Ａ）は同ほぞ固定構造の装飾用キャップの装着状態の説明図、（Ｂ）〜（Ｇ）はそれぞれ変形例に係る装飾用キャップの装着状態の説明図である。
【００１２】
図１〜図３及び図４（Ａ）に示すように、本発明の一実施の形態に係るほぞ固定構造１０は、第１の木材の一例である土台１１の中央部に形成されたほぞ穴１２に、第２の木材の一例である柱１３の先端部に形成されたほぞ１４を装着して、土台１１及び柱１３を強固に緊結して、固定する構造である。以下、詳細に説明する。
図１、図２に示すように、水平に配置された土台１１のほぞ穴１２の一側壁部１５には、一側壁部１５を貫通する円柱状の第１の固定孔部１７、更に他側壁部１６には所定の位置（例えば、他側壁部１６の１／２の長さ）まで穿設された円柱状の第３の固定穴部１８がそれぞれ形成されている。また、垂直に配置された柱１３の下端部に突出した直方体状のほぞ１４には、ほぞ１４を貫通する円柱状の第２の固定孔部１９が形成されている。そして、第１の固定孔部１７、第２の固定孔部１９、第３の固定穴部１８は、土台１１のほぞ穴１２に柱１３のほぞ１４を嵌入させた状態で、直線的になるように穿設されて固定穴１７ａを形成している。
【００１３】
更に、ほぞ固定構造１０は、固定穴１７ａに密着して嵌入されたプラスチック製の固定用筒体２０と、固定用筒体２０内に嵌入し、固定用筒体２０の中間部に分離可能に設けられたほぞ引込み凸部２１を外側に押し出して土台１１のほぞ穴１２に柱１３のほぞ１４を引き込む金属製の固定用ピン２２と、固定用筒体２０の基端部に設けた係合部２３に係合するプラスチック製の装飾用キャップ２４とを有している。
図２及び図４（Ａ）に示すように、固定用筒体２０は、外形断面が円形状であり、長さは固定穴１７ａの深さ（Ｌ２）と同じに形成している。また、軸中心部には、ほぞ引込み凸部２１を固定用筒体２０の外側に押し出す固定用ピン２２を密着嵌入可能なピン孔２６を有している。更に、固定用筒体２０は、下端側（ほぞ１４の引込み方向側）の一部には、ほぞ１４の肉厚（Ｌ１）より短く、かつほぞ引込み方向に突出可能なほぞ引込み凸部２１が形成されると共に、ほぞ引込み凸部２１に対して反対側の外側半分に形成されてほぞ１４の肉厚（Ｌ１）より長いほぞ引込み凹部２５が形成されている。
【００１４】
更に、固定用筒体２０の先端部には、固定穴１７ａに挿通し易いように、テーパ部２７が形成され、固定用筒体２０の基端部には装飾用キャップ２４を密着嵌合するために切欠き状に形成された係合部２３が設けられている。また、ほぞ引込み凹部２５を上、ほぞ引込み凸部２１を下として、固定用筒体２０の基端部、すなわち、固定用筒体２０の基端面上部には上方向を示す矢印２８が設けられている。なお、上下を示す印であれば、どのような形状であってもよい。また、固定用筒体２０の長さ方向に平行な直線状突起２９が固定用筒体２０の外周に例えば上下左右に４カ所設けられ、固定用筒体２０の固定穴１７ａへの挿入時には、固定用筒体２０が回転するのを防止する。
【００１５】
図２及び図３に示すように、ほぞ引込み凸部２１は、軸方向の両端部には傾斜部３０、３１が設けられており、固定用ピン２２を一側壁部１５側から挿入してほぞ引込み凸部２１を容易に押し出せるようにしている。ほぞ引込み凸部２１は厚さＴ１　に形成され、固定用ピン２２の挿通による突出前の状態では、固定用筒体２０の肉厚Ｔ２　と同じ厚さで、固定用筒体２０と一体的に形成された円弧部と、該円弧部の内側に一体的に設けられ、固定用ピン２２の固定部３２の下部円弧３３に当接する固定部とを有している。すなわち、固定用筒体２０のピン孔２６からほぞ引込み凸部２１が内側に突出する高さＨ（＝Ｔ１　−Ｔ２　、ほぞ引込み凸部２１の固定部の半径方向の厚さに相当）はピン孔２６の孔径ｈの１／３程度になるように構成されている。
プラスチック製のほぞ引込み凸部２１は、円弧部の両側にミシン目又は、肉薄溝を形成して固定用筒体２０と一体的に形成することもできる。また、形成の手間を考慮して、固定用筒体２０を２分割、又は３分割にして形成し、これを接着等の固定手段によって固定することもできる。
【００１６】
固定用筒体２０の中央上部に形成されたほぞ引込み凹部２５の外表面の断面形状は、ほぞ１４の第２の固定孔部１９の内形の円弧と等しい形状に形成されており、ほぞ引込み凸部２１の上側の円弧上面（内表面）３４の断面形状は、固定用ピン２２の固定部３２の下部円弧３３（外形の円弧）と等しい形状に形成されている。また、固定用筒体２０のほぞ引込み凹部２５以外の外形は、使用時に固定穴１７ａに密着嵌入できる寸法に設定されている。
【００１７】
図２及び図３に示すように、固定用ピン２２は、先側に設けられ下側にテーパ面３５を備えたテーパ部３６と、テーパ部３６に一体的に設けられた固定部３２とを備えている。テーパ面３５は、固定用ピン２２のピン孔２６への挿入を容易にすると共に、ほぞ引込み凸部２１の傾斜部３１に当接し、傾斜部３１をガイドしてほぞ引込み凸部２１をほぞ引込み方向に突出できるように、ほぞ引込み凸部２１の高さＨより少し大きい高さＨ１　が形成されている。なお、下部円弧３３を備えた固定部３２の一部は、固定用ピン２２における有効部、すなわち、ほぞ引込み凸部２１を外側に押し出す部分を構成している。
従って、固定用ピン２２を固定用筒体２０のピン孔２６に挿入すると、ほぞ引込み凸部２１の傾斜部３１が固定用ピン２２のテーパ部３６のテーパ面３５にガイドされ、次いで、ほぞ引込み凸部２１の円弧上面３４が、固定用ピン２２の固定部３２の下部円弧３３に密着当接しながら、ほぞ引込み凸部２１をほぞ引込み方向に突出させ、ほぞ引込み凸部２１を介して、ほぞ１４をほぞ引込み方向に移動させると共に、ほぞ１４の第２の固定孔部１９の上側略半分が、固定用筒体２０のほぞ引込み凹部２５の外表面に密着当接することになる。
【００１８】
図３及び図５（Ａ）に示すように、プラスチック製の装飾用キャップ２４は固定用筒体２０の係合部２３に密着嵌合され、固定用筒体２０及び固定用ピン２２の基端部が外側から見えないように隠している。また、装飾用キャップ２４を装着した場合に外側から見える部分には柱１３と合うような例えば、木目調の塗装や、木の風合いを持つ紙を貼り付ける等の装飾を施すのが好ましい。
装飾用キャップの変形例を、図５（Ｂ）〜（Ｇ）に示す。図５（Ｂ）では、固定用筒体２０ｂの基端部の係合部２３ｂをねじとして、装飾用キャップ２４ｂをねじ結合している。また、図５（Ｃ）では、土台１１の固定穴の基側に装飾用キャップ２４ｃが埋設する拡大部３６ａを設け、固定穴よりも装飾用キャップ２４ｃの基部の厚み分だけ短い固定用筒体２０ｃを使用し、固定用筒体２０ｃの基端の係合部２３ｃに装飾用キャップ２４ｃを被せている。このように形成すると装飾用キャップ２４ｃが土台１１表面から突出せず面一になる。図５（Ｄ）では、固定用筒体２０ｄは土台１１から張り出す長さに形成され、その基端の係合部２３ｄには装飾用キャップ２４ｄを密着嵌合させている。図５（ｅ）では、固定用筒体２０ｅは土台１１から張り出す長さに形成され、その基端の係合部２３ｅはねじとなっており、装飾用キャップ２４ｅとねじ結合している。
【００１９】
更に、図５（Ｆ）では、固定用筒体２０ｆは長さが固定穴１７ａと実質的に同じであり、装飾用キャップ２４ｆと係合する係合部を備えていない。固定用筒体２０ｆに嵌入する固定用ピン２２ｆを固定穴１７ａより長く形成し、土台１１の表面から突出した固定用ピン２２ｆの基端部に装飾用キャップ２４ｆを密着嵌合させている。図５（Ｇ）では、基端部をねじとした固定用ピン２２ｇを用いて、土台１１の表面から突出した固定用ピン２２ｇの基端部に装飾用キャップ２４ｇをねじ結合している。
ここで、装飾用キャップの土台１１からの張り出しの厚みは、土台１１の厚みの１／１０程度が綺麗に見えるので好ましい。例えば、土台１１の厚みが１０．５ｃｍであるときには張り出しは１０．５ｍｍ程度がよく、また、土台１１の厚みが１２ｃｍであるときには張り出しは１２ｍｍ程度がよい。
【００２０】
本実施の形態では、固定穴１７ａが断面円形なので、断面円形の固定用筒体２０を用い、また、固定用筒体２０のピン孔２６が断面円形なので、断面円形の固定用ピン２２、更に、断面円形の装飾用キャップ２４を用いている。
図４（Ｂ）に示すように、固定穴の断面が矩形に形成される場合に使用される固定用筒体３７は、固定穴に挿入するときに回転しないので、固定用筒体３７のほぞ引込み凸部３８及びほぞ引込み凹部３９の位置を挿入時に確認するだけでよい。また、固定用筒体３７のピン孔４０は断面矩形に形成され、固定用ピン４１は断面矩形に形成されている。ここで、ほぞ引込み凸部３８の上面は断面矩形の固定用ピン４１の形状と等しく平面となっている。また、ほぞ引込み凹部３９の上面も平面に形成されている。装飾用キャップ４２を固定用筒体３７の基端部に設けられた断面矩形の係合部４３に密着嵌合させている。
【００２１】
図４（Ｃ）に示すように、固定穴は断面円形状に形成する方が簡単であるので、固定用筒体４４を断面円形状に形成し、ピン孔４５を断面矩形に形成してもよい。ピン孔４５の断面が矩形であるので、固定用筒体４４が回転しているかを確認することができる。更に、固定用筒体４４の長さ方向に平行な直線状突起を設けると、固定用筒体４４が回転するのを防止することができ、また、固定用筒体４４の基端部に上下を示す目印を設けると回転しても位置を間違えないので好ましい。また、断面矩形のピン孔４５に挿入する固定用ピン４６の断面形状は矩形であるので、ほぞ引込み凸部４７の上部は平らに形成されている。更に、ほぞ引込み凹部４８の形状は、ほぞに形成された断面円形の固定穴の形状と等しく形成されている。また、装飾用キャップ４９は固定用筒体４４の基端部に設けられた係合部５０で密着嵌合し、その断面形状は、固定穴に嵌入される側は断面円形に、また、土台１１の外部に張り出す側は断面矩形に形成されている。また、装飾用キャップの基端部の形状は楕円形、三角形等の多角形でもよい。
なお、ほぞ引込み凸部２１とほぞ引込み凹部２５を有する固定用筒体２０と固定用ピン２２と装飾用キャップ２４によって、ほぞ固定装置を構成している。
【００２２】
次に、本発明の一実施の形態に係るほぞ固定方法について説明する。
第１工程では、土台１１の中央部にほぞ穴１２を形成し、柱１３の下端部に形成されたほぞ１４を嵌入する。ここで、ほぞ穴１２は土台１１を貫通させても、貫通させなくてもよい。
第２工程では、ほぞ穴１２にほぞ１４を嵌入した状態で、例えばドリル、又はきりを用いて土台１１の一側壁部１５、及び、ほぞ１４を貫通し、土台１１の他側壁部１６の所定の位置まで届く断面円形の固定穴１７ａを形成する。ここで、所定の位置まで穿設することができるストッパを備えたドリルを用いると固定穴１７ａの穿設が容易にできるので好ましい。
第３工程では、突出可能なほぞ引込み凸部２１を下側（ほぞ引込み方向）に、ほぞ引込み凹部２５を上側に向けた状態で固定用筒体２０のテーパ部２７を水平方向に向けて、固定穴１７ａに密着嵌入する。固定用筒体２０は第３の固定穴部１８の先端まで挿入する。ここで、固定用筒体２０の基端部に設けた上下を示す矢印２８により、固定用筒体２０の位置の調整を行う。
【００２３】
第４工程では、固定用筒体２０のピン孔２６に固定用ピン２２を挿入して、固定ピン２２によりほぞ引込み凸部２１をほぞ引込み方向（下側）に突出させる。これによって、柱１３のほぞ１４をほぞ引込み方向に移動させ、柱１３及び土台１１を緊結状態で固定することができる。なお、ほぞ引込み凸部２１を押し出すとき、ほぞ１４の第２の固定孔部１９の上面側も下側へ移動するが、固定用筒体２０に第２の固定孔部１９の上側面の断面形状と等しく形成したほぞ引込み凹部２５が形成されているので、ほぞ１４の移動に邪魔になることはない。このようにして、ほぞ１４は下側方向に所定の接合力で引っ張られ、土台１１と柱１３とは緊結状態で固定される。
第５工程では、固定用筒体２０の基端部に形成した係合部２３に装飾用キャップ２４を被せて、固定用筒体２０と固定用ピン２２を外部から見えないように隠す。更に、装飾用キャップ２４には図示しない飾りが施されており、美麗である。
【００２４】
本発明は、前記した実施の形態に限定されるものではなく、本発明の要旨を変更しない範囲での変更は可能であり、例えば、前記したそれぞれの実施の形態や変形例の一部又は全部を組み合わせて本発明のほぞ固定構造を構成する場合にも適用される。
例えば、前記本実施の形態で示した固定用筒体は、プラスチックで形成しているが、金属で形成してもよい。金属で形成する場合には、固定用筒体本体とは別にほぞ引込み凸部を製作しておき、固定用筒体本体から分離可能な状態で接着等の固定手段、又は、掛止爪による掛止手段によって、ほぞ引込み凸部を固定用筒体本体に固定することもできる。また、固定用ピンは、金属以外に、プラスチック、また、場合によっては硬質の木材で造ってもよい。また、装飾用キャップは、形成のし易さからプラスチックで造られているが、金属、又は木で造ってもよい。固定用筒体の係合部に上下の目印として矢印を設けたが、ほぞ引込み凸部、ほぞ引込み凹部の位置が分かればよく、矢印である必要はない。
【００２５】
【発明の効果】
請求項１〜３記載のほぞ固定構造、請求項４〜９記載のほぞ固定装置、請求項１０記載のほぞ固定方法においては、第１の木材に形成されたほぞ穴に第２の木材の先部に形成されたほぞを嵌入させた状態で、第１の木材の一側壁部及びほぞを貫通し、第１の木材の他側壁部の所定の位置まで穿設された固定穴が設けられ、固定穴に密着して、一側壁にほぞ引込み凹部を有する固定用筒体が装着され、しかも、ほぞ引込み凹部に対向して固定用筒体に設けられたほぞ引込み凸部が、固定用筒体に嵌入する固定用ピンの打ち込みによって、ほぞ引込み方向に突出しているので、簡単にしかも強固に木材同士を緊結状態で固定することができる。また、第１の木材の他側壁部を貫通していないので、第１の木材の他側に固定用筒体や固定用ピン等が露出せず、見栄え良くすることができる。
特に、請求項２記載のほぞ固定構造においては、固定用筒体の基部側に設けられた係合部に装飾用キャップが装着されて、固定用筒体の基端部を隠すこともできるので、固定用筒体や固定用筒体に嵌入する固定用ピンを隠すことができ、木材を美麗に仕上げることができる。
請求項３記載のほぞ固定構造においては、固定用ピンの軸心と固定穴の軸心を一致させることもできるので、固定穴の穿設作業が簡単になる。
【００２６】
請求項４記載のほぞ固定装置においては、ほぞの肉厚より短く、かつほぞ引込み方向に突出可能なほぞ引込み凸部と、ほぞ引込み凸部に対して反対側の外側半分に形成されてほぞの肉厚より長いほぞ引込み凹部とを有し、第１の木材の他側壁部まで届く長さを有する固定用筒体と、固定用筒体に密着嵌入してほぞ引込み凸部をほぞ引込み方向に突出させる固定用ピンと、固定用筒体の基端部に取付けられる装飾用キャップとを有するので、簡単な装置で、木材を緊結させることができる。また、装飾用キャップにより、固定用筒体及び固定用ピンを隠すことができると共に、第１の木材の他側からも、固定用筒体及び固定用ピンは見えないので、木材を美麗に仕上げることができる。
【００２７】
請求項５記載のほぞ固定装置においては、固定用筒体の基端部には、上下を示す印を設けているので、固定用筒体の取付け後、ほぞ引込み凸部及びほぞ引込み凹部の取付け角度の確認をすることができる。
請求項６記載のほぞ固定装置においては、装飾用キャップは固定用筒体及び固定用ピンのいずれか一方の基端部にねじ結合するので、装飾用キャップをねじ込むだけで取付けることができる。
請求項７記載のほぞ固定装置においては、装飾用キャップは固定用筒体及び固定用ピンのいずれか一方の基端部に密着嵌合するので、装飾用キャップを嵌入するだけで取付けることができる。
請求項８記載のほぞ固定装置においては、固定用筒体は、直線的に形成された固定穴の長さと実質的に同じ長さに形成されているので、固定穴に固定用筒体を密着して装着でき、固定用筒体が固定穴から張り出すことがなく綺麗である。
請求項９記載のほぞ固定装置においては、固定用筒体の外周には、固定用筒体の長さ方向に平行な直線状突起を設けるので、固定用筒体を挿入する際には、固定用筒体が回転しにくくなり、ほぞ引込み凸部及びほぞ引込み凹部の位置ずれを防止することができる。
【００２８】
請求項１０記載のほぞ固定方法においては、第１の木材に形成されたほぞ穴に、第２の木材の先部に形成されたほぞを嵌入させる第１工程と、第１の木材の一側壁部及びほぞを貫通し、第１の木材の他側壁部の所定の位置まで届く固定穴を形成する第２工程と、固定穴に密着して、一側壁にほぞ引込み凹部を有し、ほぞ引込み凹部の反対側には、ほぞ引込み凸部が設けられた固定用筒体を、ほぞ引込み凸部をほぞの引込み方向に向けた状態で装着する第３工程と、固定用筒体に、固定用ピンを入れてほぞ引込み凸部をほぞ引込み方向に突出させ、ほぞ穴に装着されたほぞを緊結状態で固定する第４工程と、固定用筒体及び固定用ピンの基端部に装飾用キャップを被せて、固定用筒体及び固定用ピンを隠す第５工程とを有するので、簡単な方法で、木材の接合が可能である。また、第１の木材に形成されたほぞ穴に、第２の木材の先部に形成されたほぞを嵌入させた状態で、第１の木材の一側壁部及びほぞを貫通し、第１の木材の他側壁部の所定の位置まで届く固定穴を形成するので、寸法精度が良く、短時間で施工できる。
【図面の簡単な説明】
【図１】本発明の一実施の形態に係るほぞ固定構造を説明する斜視図である。
【図２】同ほぞ固定構造における固定用ピン挿入前の側断面図である。
【図３】同ほぞ固定構造における固定用ピン挿入後の側断面図である。
【図４】（Ａ）は同ほぞ固定構造における固定用筒体、固定用ピン及び装飾用キャップの斜視図、（Ｂ）、（Ｃ）はそれぞれ変形例に係る固定用筒体、固定用ピン及び装飾用キャップの斜視図である。
【図５】（Ａ）は同ほぞ固定構造の装飾用キャップの装着状態の説明図、（Ｂ）〜（Ｇ）はそれぞれ変形例に係る装飾用キャップの装着状態の説明図である。
【符号の説明】
１０：ほぞ固定構造、１１：土台、１２：ほぞ穴、１３：柱、１４：ほぞ、１５；一側壁部、１６：他側壁部、１７：第１の固定孔部、１７ａ：固定穴、１８：第３の固定穴部、１９：第２の固定孔部、２０、２０ｂ、２０ｃ、２０ｄ、２０ｅ、２０ｆ：固定用筒体、２１：ほぞ引込み凸部、２２、２２ｆ、２２ｇ：固定用ピン、２３、２３ｂ、２３ｃ、２３ｄ、２３ｅ：係合部、２４、２４ｂ、２４ｃ、２４ｄ、２４ｅ、２４ｆ、２４ｇ：装飾用キャップ、２５：ほぞ引込み凹部、２６：ピン孔、２７：テーパ部、２８：矢印、２９：直線状突起、３０、３１：傾斜部、３２：固定部、３３：下部円弧、３４：円弧上面、３５：テーパ面、３６：テーパ部、３６ａ：拡大部、３７：固定用筒体、３８：ほぞ引込み凸部、３９：ほぞ引込み凹部、４０：ピン孔、４１：固定用ピン、４２：装飾用キャップ、４３：係合部、４４：固定用筒体、４５：ピン孔、４６：固定用ピン、４７：ほぞ引込み凸部、４８：ほぞ引込み凹部、４９：装飾用キャップ、５０：係合部
【図１】
2004052238.tif 000003
【図２】
2004052238.tif 000004
【図３】
2004052238.tif 000005
【図４】
2004052238.tif 000006
【図５】
2004052238.tif 000007